(57)【特許請求の範囲】
【請求項１】
装着者の口を覆うシート状の本体部と、
前記本体部の上端部近傍に取り付けられたシート状の息漏れ防止部材と、を備え、
前記息漏れ防止部材は、前記本体部の左右方向に延びる折目を有しており、当該折目に沿って折返し可能であり、
前記息漏れ防止部材は、展開された状態又は前記折目に沿って折り返された状態にあり、展開された状態において前記本体部の略全体に重なることを特徴とするマスク。
【請求項２】
請求項１に記載のマスクにおいて、
前記息漏れ防止部材は、複数の前記折目を有しているマスク。
【請求項３】
請求項２に記載のマスクにおいて、
前記複数の折目は、谷折り線となる第１の折目と、山折り線となる第２の折目とを含んでいるマスク。
【請求項４】
請求項３に記載のマスクにおいて、
前記第２の折目よりも前記第１の折目の方が、前記本体部の前記上端部に近い位置に設けられているマスク。
【請求項５】
請求項３又は４に記載のマスクにおいて、
前記複数の折目は、谷折り線となる第３の折目を含んでおり、
前記第２の折目は、前記第１の折目と前記第３の折目との間に位置しているマスク。
【請求項６】
請求項２乃至５の何れかに記載のマスクにおいて、
前記複数の折目は、前記息漏れ防止部材上に略等間隔で配設されているマスク。
【請求項７】
請求項１乃至６の何れかに記載のマスクにおいて、
前記息漏れ防止部材は、前記本体部の前記左右方向の全体にわたって設けられているマスク。
【請求項８】
請求項１乃至７の何れかに記載のマスクにおいて、
前記息漏れ防止部材は、通気性を有するマスク。
【請求項９】
請求項１乃至８の何れかに記載のマスクにおいて、
前記息漏れ防止部材は、前記本体部と同一の材料からなるマスク。
【請求項１０】
請求項１乃至８の何れかに記載のマスクにおいて、
前記息漏れ防止部材は、前記本体部と異なる材料からなるマスク。
【請求項１１】
請求項１乃至１０の何れかに記載のマスクにおいて、
前記息漏れ防止部材は、保湿成分を含有するマスク。
【請求項１２】
請求項１乃至１１の何れかに記載のマスクにおいて、
前記息漏れ防止部材は、展開された状態で前記本体部の上方に捲り上げられることにより、前記装着者の目を覆うように構成されているマスク。
【請求項１３】
請求項１乃至１２の何れかに記載のマスクにおいて、
前記息漏れ防止部材は、着色されているマスク。
【請求項１４】
請求項１３に記載のマスクにおいて、
前記息漏れ防止部材は、前記本体部と異なる色に着色されているマスク。
【請求項１５】
請求項１３又は１４に記載のマスクにおいて、
前記息漏れ防止部材は、暗色系の色に着色されているマスク。
【請求項１６】
請求項１乃至１５の何れかに記載のマスクにおいて、
前記息漏れ防止部材には、粘着部が設けられており、
前記息漏れ防止部材は、展開された状態において、前記粘着部を介して前記本体部に対して剥離可能に接着されるマスク。
【請求項１７】
請求項１６に記載のマスクにおいて、
前記粘着部は、前記息漏れ防止部材の下端部に沿った周縁部に設けられている第１の粘着部を含むマスク。
【請求項１８】
請求項１６又は１７に記載のマスクにおいて、
前記粘着部は、前記息漏れ防止部材の左右両端部に沿った周縁部に設けられている第２の粘着部を含むマスク。
【発明の詳細な説明】
【技術分野】
【０００１】
本発明は、人の鼻や口を覆うマスクに関する。
【背景技術】
【０００２】
従来のマスクとしては、例えば特許文献１に記載されたものがある。同文献に記載されたマスクは、装着者の鼻及び口を覆う本体部と、スポンジ状の伸縮性部材とを備えている。伸縮性部材は、横長の形状をしており、本体部の内側の面（装着者の顔に対向する面）における上端部近傍に取り付けられている。この伸縮性部材においては、中央部が薄く形成されており、その両側に膨らみ部が設けられている。
【先行技術文献】
【特許文献】
【０００３】
【特許文献１】特開２００３−２３６０００号公報
【発明の概要】
【発明が解決しようとする課題】
【０００４】
ところで、マスクを眼鏡と併用する場合、本体部の上端部から漏れる息によって眼鏡が曇ることがある。この点、特許文献１に記載されたマスクによれば、本体部と鼻の両側との間の隙間が伸縮性部材の膨らみ部によって埋められるため、本体部の上端部から息が漏れるのを防ぐことができる。しかしながら、このマスクは、上述のような立体形状を有する伸縮性部材を備えているため、収納時に嵩張るという問題がある。
【０００５】
本発明は、上記課題に鑑みてなされたものであり、眼鏡の曇りを防止できるとともにコンパクトに収納することが可能なマスクを提供することを目的とする。
【課題を解決するための手段】
【０００６】
本発明によるマスクは、装着者の口を覆うシート状の本体部と、上記本体部の上端部近傍に取り付けられたシート状の息漏れ防止部材と、を備え、上記息漏れ防止部材は、上記本体部の左右方向に延びる折目を有しており、当該折目に沿って折返し可能であることを特徴とする。
【０００７】
このマスクにおいては、本体部の上端部近傍に息漏れ防止部材が取り付けられている。この息漏れ防止部材には、本体部の左右方向に延びる折目が形成されている。それゆえ、息漏れ防止部材を折目に沿って折り返すことにより、本体部と装着者の顔との間の空間が、折り返された息漏れ防止部材によって上方から覆われることになる。これにより、本体部の上端部から息が漏れるのを防ぐことができる。また、このマスクにおいては、本体部のみならず、息漏れ防止部材もシート状をしている。このため、このマスクは、コンパクトに収納することが可能である。
【発明の効果】
【０００８】
本発明によれば、眼鏡の曇りを防止できるとともにコンパクトに収納することが可能なマスクが実現される。
【図面の簡単な説明】
【０００９】
【図１】本発明によるマスクの一実施形態を示す正面図である。
【図２】図１のマスクを示す背面図である。
【図３】図１のマスクにおいて息漏れ防止部材が折り返された状態を示す背面図である。
【図４】図１のマスクにおいて息漏れ防止部材が折り返された状態を示す側面図である。
【図５】図１のマスクにおいて息漏れ防止部材が捲り上げられた状態を示す背面図である。
【図６】変形例に係るマスクを示す背面図である。
【図７】図６のマスクにおいて息漏れ防止部材が折り返された状態を示す背面図である。
【図８】図６のマスクにおいて息漏れ防止部材が折り返された状態を示す側面図である。
【図９】変形例に係る息漏れ防止部材を示す正面図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明によるマスクの一実施形態を示す正面図である。また、図２は、図１のマスクを示す背面図である。マスク１は、本体部１０、及び息漏れ防止部材２０を備えている。本体部１０は、シート状をしており、装着者の目、鼻及び口のうち、鼻及び口のみ、あるいは口のみを覆う。本体部１０は、通気性を有する材料からなる。かかる材料としては、例えば、不織布、ガーゼ又は紙を用いることができる。
【００１２】
本体部１０の内側の面（装着者の顔に対向する面）には、息漏れ防止部材２０が設けられている。息漏れ防止部材２０も、シート状をしている。本実施形態において息漏れ防止部材２０は、本体部１０と略同一の形状及び大きさをしている。それゆえ、息漏れ防止部材２０は、本体部１０の左右方向（図１及び図２における左右方向）の全体にわたって設けられている。また、息漏れ防止部材２０は、図１及び図２に示すように、展開された状態において、本体部１０の略全体に重なっている。
【００１３】
息漏れ防止部材２０は、本体部１０の上端部近傍に取り付けられている。詳細には、息漏れ防止部材２０の上端部近傍の領域と本体部１０の上端部近傍の領域とが互いに固定されている。かかる固定は、例えば、縫製により行うことができる。その場合、本体部１０及び息漏れ防止部材２０の左右方向について、全体を縫い合わせてもよいし、一部分のみを縫い合わせてもよい。また、本体部１０及び息漏れ防止部材２０の左右両端部を環縫い方式で縫い合わせることにより、必要に応じて糸が抜けるようにしてもよい。息漏れ防止部材２０は、通気性を有している。息漏れ防止部材２０は、本体部１０と同一の材料からなっていてもよいし、本体部１０と異なる材料からなっていてもよい。
【００１４】
息漏れ防止部材２０には、折目２２（第１の折目）及び折目２４（第２の折目）が形成されている。折目２２，２４は、当該折目２２，２４に沿って息漏れ防止部材２０を容易に折り返せるようにするために設けられている。かかる折目２２，２４は、例えば、息漏れ防止部材２０を加圧して折り癖をつけることにより形成することができる。
【００１５】
このように本実施形態において息漏れ防止部材２０は、複数の折目２２，２４を有している。各折目２２，２４は、本体部１０の左右方向に延びている。息漏れ防止部材２０の裏面（図２に示される面）側から見て、折目２２は谷折り線となり、折目２４は山折り線となる。折目２４よりも折目２２の方が、本体部１０の上端部に近い位置に設けられている。このため、息漏れ防止部材２０上には、上端部と折目２２との間の領域２０ａ、折目２２と折目２４との間の領域２０ｂ、及び折目２４と下端部との間の領域２０ｃが存在する。折目２２，２４は、息漏れ防止部材２０上に略等間隔で配設されている。それゆえ、３つの領域２０ａ，２０ｂ，２０ｃの面積は、略同一である。息漏れ防止部材２０は、これらの折目２２，２４に沿って折返し可能に設けられている。
【００１６】
図３及び図４は、それぞれ、マスク１において息漏れ防止部材２０が折り返された状態を示す背面図及び側面図である。ただし、図４においては、固定部３０の図示を省略している。これらの図に示すように、息漏れ防止部材２０は、折目２２，２４に沿って折り返されることにより、三つ折りの状態になる。そして、息漏れ防止部材２０は、この状態において、本体部１０と装着者の顔との間の空間を上方から覆う。
【００１７】
図５に示すように、息漏れ防止部材２０は、展開された状態において、本体部１０の上方に捲り上げることが可能である。息漏れ防止部材２０は、このように展開された状態で本体部１０の上方に捲り上げられることにより、装着者の目を覆うように構成されている。
【００１８】
息漏れ防止部材２０は、保湿成分、芳香成分、抗菌成分のうち少なくとも１つを含有することが好ましい。保湿成分としては、例えば、コラーゲン、ヒアルロン酸、グリセリン類が挙げられる。芳香成分としては、例えば、ユーカリ、ローズマリー、ラベンダーその他のハーブの香りを発するものが挙げられる。また、抗菌成分としては、例えば、カテキンその他のタンニンが挙げられる。タンニンとしては、お茶やコーヒーに含有されているものを用いることができる。
【００１９】
息漏れ防止部材２０は、着色されていてもよい。その場合、息漏れ防止部材２０は、本体部１０と異なる色に着色されていることが好ましい。また、息漏れ防止部材２０は、暗色系の色に着色されていることが好ましい。
【００２０】
さらに、本体部１０には、当該本体部１０を装着者の顔に固定するための固定部３０が取り付けられている。本実施形態において固定部３０は、装着者の耳に掛けられる紐状部材である。かかる固定部３０としては、例えば、ゴム紐を用いることができる。
【００２１】
マスク１の効果を説明する。マスク１においては、本体部１０の上端部近傍に息漏れ防止部材２０が取り付けられている。息漏れ防止部材２０には、本体部１０の左右方向に延びる折目２２，２４が形成されている。それゆえ、息漏れ防止部材２０を折目２２，２４に沿って折り返すことにより、本体部１０と装着者の顔との間の空間が、折り返された息漏れ防止部材２０によって上方から覆われることになる。これにより、本体部１０の上端部から息が漏れるのを防ぐことができる。また、マスク１においては、本体部１０のみならず、息漏れ防止部材２０もシート状をしている。このため、マスク１は、コンパクトに収納することが可能である。したがって、眼鏡の曇りを防止できるとともにコンパクトに収納することが可能なマスク１が実現されている。
【００２２】
さらに、折り返された息漏れ防止部材２０の厚みによって、本体部１０と装着者の顔との間の空間を広く確保することができるため、呼吸がしやすくなるという利点もある。
【００２３】
息漏れ防止部材２０は、複数の折目（折目２２及び折目２４）を有している。これにより、息漏れ防止部材２０を三つ折りすることができるため、二つ折りの場合（折目が１つしかない場合）よりも、息漏れ防止効果を高めることができる。
【００２４】
息漏れ防止部材２０には、谷折り線となる折目２２と山折り線となる折目２４とが形成されている。このため、折目２２，２４に沿って息漏れ防止部材２０を折り返したときに、波型の息漏れ防止部材２０を得ることができる（図４参照）。かかる形状の息漏れ防止部材２０は、本体部１０の上端部からの息漏れを防止するのに特に適している。「山」の部分（図４において点線Ｌ１で囲まれた部分）において呼気を捕捉することができるからである。
【００２５】
折目２２，２４は、息漏れ防止部材２０上に略等間隔で配設されている。このため、息漏れ防止部材２０を三つ折りにしたとき、３つの領域２０ａ，２０ｂ，２０ｃが完全に重なり合うことになる。このことは、息漏れ防止部材２０が折り返された状態におけるマスク１の美観の向上に資する。
【００２６】
息漏れ防止部材２０は、本体部１０の左右方向の全体にわたって設けられている。これにより、本体部１０の上端部の全体において、息漏れ防止部材２０による息漏れ防止効果を享受することができる。
【００２７】
息漏れ防止部材２０は、展開された状態（折り返されていない状態）において、本体部１０の略全体に重なるように構成されている。本体部１０及び息漏れ防止部材２０が重なり合った状態でマスク１を使用することにより、ＰＭ２．５、花粉、ウィルス等の有害粒子の侵入を効果的に防ぐことができる。
【００２８】
このように、マスク１は、息漏れ防止部材２０が折り返された状態と、息漏れ防止部材２０が展開された状態とで２通りの使い方が可能である。これにより、装着者にとっての利便性が飛躍的に高まる。例えば、装着者は、眼鏡を着用しているときは、眼鏡の曇り防止を優先して息漏れ防止部材２０が折り返された状態でマスク１を使用する一方で、眼鏡を着用していないときは、有害粒子の侵入防止を優先して息漏れ防止部材２０が展開された状態でマスク１を使用するということができる。
【００２９】
息漏れ防止部材２０は、展開された状態で本体部１０の上方に捲り上げられることにより、装着者の目を覆うように構成されている。このため、息漏れ防止部材２０は、アイマスクとしても利用することができる。このように息漏れ防止部材２０をアイマスクとして利用することにより、寝顔を隠すとともに、目及びその周囲の肌が乾燥するのを防ぐことができる。
【００３０】
息漏れ防止部材２０が保湿成分を含有する場合、呼吸時に吸気と共に息漏れ防止部材２０から水分が口腔内に供給されるため、喉の乾燥を効果的に防ぐことができる。また、息漏れ防止部材２０をアイマスクとして利用するときは、目及びその周囲の肌が乾燥するのを効果的に防ぐことができる。息漏れ防止部材２０が芳香成分を含有する場合、呼吸時に当該成分が鼻腔内に吸い込まれることにより、装着者は、より快適にマスク１を使用することができる。息漏れ防止部材２０が抗菌成分を含有する場合、呼気中や吸気中の雑菌が繁殖するのを抑制することができるため、装着者は、より衛生的にマスク１を使用することができる。
【００３１】
息漏れ防止部材２０が着色されている場合、マスク１のファッション性を向上させることができる。ファッション性の向上により、普段はマスクをしたがらない人であっても、気軽に装着できるようになる。特に息漏れ防止部材２０が本体部１０と異なる色に着色されている場合、息漏れ防止部材２０がアクセントとなって、マスク１のファッション性を一層向上させることができる。また、息漏れ防止部材２０が暗色系の色に着色されている場合、遮光性が高まるため、息漏れ防止部材２０をアイマスクとして利用するのに適している。
【００３２】
本発明は、上記実施形態に限定されるものではなく、様々な変形が可能である。上記実施形態においては、息漏れ防止部材２０に２つの折目（折目２２及び折目２４）が形成された例を示した。しかし、息漏れ防止部材２０に形成される折目は、１つであってもよいし、３つ以上であってもよい。
【００３３】
図６は、息漏れ防止部材２０に３つの折目が形成された場合の例を示している。同図において息漏れ防止部材２０には、上述の折目２２，２４に加えて、折目２６（第３の折目）が形成されている。折目２６は、折目２２と同様、谷折り線となる。折目２４は、折目２２と折目２６との間に位置している。すなわち、谷折り線となる折目（折目２２，２６）と山折り線となる折目（折目２４）とが交互に配設されている。これらの折目２２，２４，２６は、息漏れ防止部材２０上に略等間隔で配設されている。
【００３４】
この場合、図７及び図８に示すように、息漏れ防止部材２０を四つ折りにすることができるため、息漏れ防止効果を一層高めることができる。また、谷折り線となる折目と山折り線となる折目とが交互に配設されているため、本体部１０の上端部からの息漏れを防止するのに適した波型の息漏れ防止部材２０を得ることができる。
【００３５】
上記実施形態においては、息漏れ防止部材２０が本体部１０の左右方向の全体にわたって設けられた例を示した。しかし、息漏れ防止部材２０は、本体部１０の左右方向の一部分にのみ設けられていてもよい。
【００３６】
上記実施形態においては、図９に示すように、息漏れ防止部材２０に粘着部が設けられていてもよい。同図は、息漏れ防止部材２０の表面（本体部１０に対向する面）を示している。息漏れ防止部材２０の表面には、粘着部４２（第１の粘着部）及び粘着部４４（第２の粘着部）が設けられている。粘着部４２は、息漏れ防止部材２０の下端部に沿った周縁部に設けられている。また、粘着部４４は、息漏れ防止部材２０の左右両端部に沿った周縁部に設けられている。
【００３７】
息漏れ防止部材２０は、展開された状態において、粘着部４２，４４を介して本体部１０に対して剥離可能に接着されている。ここで、剥離可能とは、装着者が本体部１０及び息漏れ防止部材２０を損傷することなく容易に息漏れ防止部材２０を本体部１０から剥がせるということである。かかる息漏れ防止部材２０は、粘着部４２，４４の粘着力を適度に調整することにより実現することができる。
【００３８】
かかる構成により、息漏れ防止部材２０が展開された状態でマスク１を使用する際、息漏れ防止部材２０が本体部１０からずれるのを防ぐことができる。また、息漏れ防止部材２０をアイマスクとして利用する際には、粘着部４２，４４を介して息漏れ防止部材２０を顔に接着することにより、息漏れ防止部材２０が顔からずれるのを防ぐことができる。
【００３９】
特に息漏れ防止部材２０は、本体部１０に対して剥離可能に接着される。このため、マスク１の使用状態の切り替え（息漏れ防止部材２０が折り返された状態と息漏れ防止部材２０が展開された状態との切り替え）を容易に行うことができる。また、粘着部４２，４４は、息漏れ防止部材２０の周縁部に設けられている。これにより、息漏れ防止部材２０が展開された状態でマスク１を使用する際、粘着部４２，４４が呼吸の妨げになるのを回避することができる。
【符号の説明】
【００４０】
１  マスク
１０  本体部
２０  息漏れ防止部材
２２  折目（第１の折目）
２４  折目（第２の折目）
２６  折目（第３の折目）
３０  固定部
４２  粘着部（第１の粘着部）
４４  粘着部（第２の粘着部）
【図１】
0006310881.tif 000002
【図２】
0006310881.tif 000003
【図３】
0006310881.tif 000004
【図４】
0006310881.tif 000005
【図５】
0006310881.tif 000006
【図６】
0006310881.tif 000007
【図７】
0006310881.tif 000008
【図８】
0006310881.tif 000009
【図９】
0006310881.tif 000010